(57)【要約】【課題】既存の天井構造に対して適用することができ、しかもボードの引き剥がし作業の作業効率の向上を図ることができる天井構造解体装置を提供すること。【解決手段】天井に敷設されたボード（２）を剥がして天井構造（１）を解体するための装置であり、装置の骨組みを構成するフレーム部材１０と、フレーム部材１０に先端部４１１が上下方向に揺動可能となる態様で設けられ、操作力が付与されることにより先端部４１１が揺動してボードを引き剥がす引剥部４１と、フレーム部材１０に係止部材を介して係止する態様で設けられ、引剥部４１により引き剥がされたボードの破片が飛散することを防止するネット２０とを備えたものである。また、引剥部４１は、先端部４１１にボードを打撃するための打撃爪部４１１ｂと、ボードを引き剥がすための引剥爪部４１１ａとを備えて成ることが好ましい。【選択図】        図１
2008240444.tif 000002
【特許請求の範囲】
【請求項１】
天井に敷設されたボードを剥がして天井構造を解体するための装置であって、
装置の骨組みを構成し、かつ下端部に設けた車輪により移動可能と成るフレーム部材と、
前記フレーム部材に先端部が上下方向に揺動可能となる態様で設けられ、操作力が付与されることにより前記先端部が揺動して前記ボードを引き剥がす引剥部材と、
前記フレーム部材に係止部材を介して係止する態様で設けられ、前記引剥部材により引き剥がされたボードの破片が飛散することを防止するネットと
を備えたことを特徴とする天井構造解体装置。
【請求項２】
前記引剥部材は、前記先端部に前記ボードを打撃するための打撃爪部と、前記ボードを引き剥がすための引剥爪部とを備えて成ることを特徴とする請求項１に記載の天井構造解体装置。
【請求項３】
前記引剥部材は、前記先端部が伸縮自在と成ることを特徴とする請求項１または請求項２に記載の天井構造解体装置。
【請求項４】
前記フレーム部材は、単管とクランプとで構成されることを特徴とする請求項１〜３のいずれか一つに記載の天井構造解体装置。
【請求項５】
前記フレーム材により形成された設置スペースに設置され、前記引剥部材により引き剥がされたボードを収集し、かつ運搬するための収集台車を備えたことを特徴とする請求項１〜４のいずれか一つに記載の天井構造解体装置。
【発明の詳細な説明】
【技術分野】
【０００１】
本発明は、例えば建築物の天井に敷設されたボードを剥がして既存の天井構造を解体するための天井構造解体装置に関する。
【背景技術】
【０００２】
従来、例えば建築物の天井に敷設されたボードを剥がして既存の天井構造の解体を行う場合には、作業者が、先端にフック状の金具が設けられたバー状の工具を用いて、該金具をボードに引っ掛けてボードを引き剥がしていた。これにより引き剥がされたボードは、床上に落下して散乱していた。
【０００３】
このような天井構造の解体では、ボードの引き剥がし作業の完了後に、床上に落下しているボード廃材を拾い上げて収集する作業が必要となるだけでなく、床上に散乱したボード廃材により作業者の歩行を困難にするばかりか、ボード廃材を収集するための収集台車の走行を困難にして作業効率の低下を招来していた。
【０００４】
一方、ボードを剥がして天井構造を解体する技術として、次のようなものが提案されている。すなわち、基材（支柱）とボードとの対向面間にホットメルトを塗布した金属板を所定間隔毎に配置することによりボードを基材に接着してなる天井構造において、金属板を電磁誘導加熱手段によって加熱することによりホットメルトを溶融させてボードを基材から取り外して天井構造を解体するもの、あるいは基材の外面にボードを設け、該ボードを該ボードの外面に当接した補強材とともに長尺止具を介して止着してなる天井構造において、解体用治具を用いて長尺止具を引き抜くことによってボードを引き剥がして天井構造を解体するものが提案されている（例えば、特許文献１および特許文献２参照）。
【０００５】
【特許文献１】特開２００２−２１３４０号公報
【特許文献２】特開２００３−１３８６７４号公報
【発明の開示】
【発明が解決しようとする課題】
【０００６】
ところが、上述した特許文献１および特許文献２に提案されている技術は、天井構造の解体を容易とする仕組みを組み込んだボードに適用するものであり、既存の天井構造におけるボードは、ホットメルトや長尺止具により敷設されたものではないため、かかる技術を適用することはできない。従って、既存の天井構造の解体を行う場合には、依然として上述したような問題がある。
【０００７】
本発明は、上記実情に鑑みて、既存の天井構造に対して適用することができ、しかもボードの引き剥がし作業の作業効率の向上を図ることができる天井構造解体装置を提供することを目的とする。
【課題を解決するための手段】
【０００８】
上記目的を達成するために、本発明の請求項１に係る天井構造解体装置は、天井に敷設されたボードを剥がして天井構造を解体するための装置であって、装置の骨組みを構成し、かつ下端部に設けた車輪により移動可能と成るフレーム部材と、前記フレーム部材に先端部が上下方向に揺動可能となる態様で設けられ、操作力が付与されることにより前記先端部が揺動して前記ボードを引き剥がす引剥部材と、前記フレーム部材に係止部材を介して係止する態様で設けられ、前記引剥部材により引き剥がされたボードの破片が飛散することを防止するネットとを備えたことを特徴とする。
【０００９】
また、本発明の請求項２に係る天井構造解体装置は、上述した請求項１において、前記引剥部材は、前記先端部に前記ボードを打撃するための打撃爪部と、前記ボードを引き剥がすための引剥爪部とを備えて成ることを特徴とする。
【００１０】
また、本発明の請求項３に係る天井構造解体装置は、上述した請求項１または請求項２において、前記引剥部材は、前記先端部が伸縮自在と成ることを特徴とする。
【００１１】
また、本発明の請求項４に係る天井構造解体装置は、上述した請求項１〜３のいずれか一つにおいて、前記フレーム部材は、単管とクランプとで構成されることを特徴とする。
【００１２】
また、本発明の請求項５に係る天井構造解体装置は、上述した請求項１〜４のいずれか一つにおいて、前記フレーム材により形成された設置スペースに設置され、前記引剥部材により引き剥がされたボードを収集し、かつ運搬するための収集台車を備えたことを特徴とする。
【発明の効果】
【００１３】
本発明によれば、装置の骨組みを構成するフレーム部材に先端部が上下方向に揺動可能となる態様で設けられた引剥部材が、操作力が付与されることにより先端部を揺動してボードを引き剥がし、フレーム部材に係止部材を介して係止する態様で設けられたネットが、引剥部材により引き剥がされたボードの破片が飛散することを防止するので、引き剥がされたボードを床上に散乱させることなく収集させることができる。このように、床上にボード廃材を散乱させることがないので、ボード廃材を拾い集める作業を必要とせず、作業者の歩行を容易にすることができ、結果的に、作業効率を良好なものとすることができる。従って、既存の天井構造に対して適用することができ、しかもボードの引き剥がし作業の作業効率の向上を図ることができるという効果を奏する。また、フレーム部材は、単管とクランプとで構成されるので、組立・解体が容易となり、不使用時には分解させておくことで他の建設作業の邪魔にはならない。
【発明を実施するための最良の形態】
【００１４】
以下に添付図面を参照して、本発明に係る天井構造解体装置の好適な実施の形態について詳細に説明する。
【００１５】
図１および図２は、それぞれ本発明の実施の形態における天井構造解体装置の構成を簡単に示したものであり、図１は側面図、図２は正面図である。ここに例示する天井構造解体装置は、フレーム部材１０と、ネット２０と、収集台車３０と、引剥ハンドル４０とを備えて構成してある。
【００１６】
フレーム部材１０は、例えば軽量形鋼を加工したり、クランプ等を用いて単管やパイプ等の仮設材を組み立てたりして形成したものであり、装置の骨組みを構成するものである。より詳細に説明すると、フレーム部材１０は、直方体の各辺を成すことにより胴部１１を構成するとともに、該胴部１１の下方側の各頂点から下方に向けて延在する辺を成すことにより脚部１２を構成するものである。また、フレーム部材１０は、胴部１１の上方側の各頂点から斜め前方、あるいは斜め後方に延在する辺を成すとともに、各延在端部を連結する辺を成すことにより上部１３を構成するものである。そして、脚部１２を構成するフレーム部材１０の下端部には、それぞれ車輪１４が設けてある。図２中の符号１５は、移動用ハンドルである。
【００１７】
ネット２０は、例えば網状の仮設用ネットや面剛性を有する金属製のメッシュ等であり、フレーム部材１０に付設されたフック状の金具等の係止部材（図示せず）によりフレーム部材１０に係止してある。より詳細に説明すると、ネット２０は、フレーム部材１０により構成される胴部１１の側周囲、並びに上部１３の側周囲を覆う態様で係止してある。このようにネット２０を係止してあることにより、上部１３の上面と、胴部１１の下面とが開放された筒状のフード２１が構成されることになる。
【００１８】
収集台車３０は、上面が開口した直方状の箱体３１と、該箱体３１の下面の所定個所に設けられた車輪３２とを備えた台車である。この収集台車３０は、脚部１２を構成するフレーム部材１０に囲繞される設置スペースＳに設置されており、連結金具３３を介してフレーム部材１０に連結してある。
【００１９】
引剥ハンドル４０は、上部１３を構成するフレーム部材１０に設けてある。図３〜図６は、それぞれ引剥ハンドルの要部を示すものであり、図３は要部拡大平面図、図４は要部拡大側面図、図５は要部拡大断面図、図６は要部拡大平面図である。これら図３〜図６を適宜用いて引剥ハンドル４０について説明する。引剥ハンドル４０は、引剥部（引剥部材）４１とハンドル部４２とを備えて構成してある。
【００２０】
引剥部４１は、先端部４１１が上下方向に揺動可能となる態様で基端部４１２がフレーム部材１０、すなわち上部１３を構成する後方側水平フレーム部材１０ａに設けてある。本実施の形態では、引剥部４１は図２に示すように左右に２つ設けて、連結部材４１ａを介して互いを連結してあるが、本発明における引剥部４１はこれに限定されず、１つであっても構わない。
【００２１】
この引剥部４１は、次のようにして後方側水平フレーム部材１０ａに設けてある。すなわち、図３および図４に示すように、引剥部４１の基端部４１２に配設したクランプ４１２ａを介して、後方側水平フレーム部材１０ａに相対的に挿通される態様で該後方側水平フレーム部材１０ａに設けられた円筒状のジョイント鞘管１０ｂに取付固定することにより設けてある。より詳細には、クランプ４１２ａには固定ねじ（図示せず）が設けてあり、かかる固定ねじを締付けることにより引剥部４１はジョイント鞘管１０ｂに取付固定されて、常にフード２１の上方側に位置する態様で後方側水平フレーム部材１０ａに設けてある。
【００２２】
このような引剥部４１の先端部４１１には、引剥爪部４１１ａと打撃爪部４１１ｂとが形成してある。引剥爪部４１１ａは、先端部４１１の先端縁から引剥部４１の延在方向の延長線上に向けて突出する態様で形成してある。この引剥爪部４１１ａは、対象となる天井構造を構成するボード、すなわち天井に敷設されたボードを引き剥がすための作用部となるものである。打撃爪部４１１ｂは、引剥爪部４１１ａよりも基端部４１２側に上方に向けて突出する態様で形成してある。この打撃爪部４１１ｂは、上記ボードを打撃するための作用部となるものである。
【００２３】
かかる先端部４１１は、図５に示すように、基端部４１２を構成するロッド４１１ｂの先端側を覆う筒状の形態を成している。そして、取付ねじ４１３を介して該ロッド４１１ｂの先端側に取り付けてある。この取付ねじ４１３の締付力を弱めることにより該ロッド４１１ｂを図５中の矢印方向に移動させることができ、これにより、先端部４１１は伸縮自在なものとなる。
【００２４】
ハンドル部４２は、ロッド状の形態を成しており、把持部４２１が上下方向に揺動可能となる態様で先端部４２２が後方側水平フレーム部材１０ａに設けてある。本実施の形態では、ハンドルは図２に示すように左右に２つ設けて、把持部４２１で互いに連結してあるが、本発明における引剥部４１はこれに限定されず、１つであっても構わない。
【００２５】
このハンドル部４２は、次のようにして後方側水平フレーム部材１０ａに設けてある。すなわち、図３および図４に示すように、ハンドル部４２の先端部４２２に配設したクランプ４２２ａを介して上記ジョイント鞘管１０ｂに取付固定することにより設けてある。より詳細には、クランプ４２２ａには固定ねじ（図示せず）が設けてあり、かかる固定ねじを締付けることによりハンドル部４２はジョイント鞘管１０ｂに取付固定されて、後方側水平フレーム部材１０ａに設けてある。
【００２６】
このようなハンドル部４２は、図６に示すように、外表面がねじ溝４２ａが形成してあり、これに螺合する雌ねじ（図示せず）を有するウエイト４２ｂが該ハンドル部４２に設けてある。ウエイト４２ｂは、引剥ハンドル４０の姿勢バランスを保持するためのものであり、より詳細には何等外力が付与されていない状態、すなわち常態での引剥ハンドル４０の姿勢バランスを保持するためのものである。このウエイト４２ｂは、ハンドル部４２の軸心回りに回転させることにより該ハンドル部４２の延在方向に沿って変位できるようになっている。
【００２７】
ここで、引剥部４１とハンドル部４２との位置関係について説明する。引剥部４１およびハンドル部４２は、共に共通のジョイント鞘管１０ｂにクランプ４１２ａ，４２２ａを介して取付固定されて後方側水平フレーム部材１０ａに取り付けてある。そのため、クランプ４２２ａの固定ねじの締付力を弱めることにより、引剥部４１とハンドル部４２との成す角度、すなわち引剥部４１の延在方向とハンドル部４２の延在方向との成す角度θが自在に変化できるようになっている。本実施の形態では、引剥部４１とハンドル部４２との成す角度θが鈍角となるよう調整して引剥部４１とハンドル部４２との位置関係が決められている。
【００２８】
以上のような構成を有する天井構造解体装置は、次のようにして天井に敷設されたボードを剥がして対象となる天井構造を解体することができる。
【００２９】
図７に示すように、対象となる天井構造１の下方に移動された天井構造解体装置は、作業者により引剥ハンドル４０を構成するハンドル部４２に操作力が付与されると、すなわちハンドル部４２の把持部４２１が上下方向に揺動されると、該ハンドル部４２と所定の角度θを成して位置関係が決めされた引剥部４１は、先端部４２２が上下方向に揺動することになる。このように引剥部４１の先端部４２２が上下方向に揺動することにより、該先端部４２２に形成された打撃爪部４１１ｂが天井構造１を構成するボード、すなわち天井に敷設されたボード２の表面を打撃して破砕する。そして、引剥部４１の先端部４２２を上方に揺動させて、打撃爪部４１１ｂを通じて打撃を与えることにより破砕したボード２の裏面に引剥爪部４１１ａを引っ掛け、再び先端部４２２を下方に揺動させることにより、該ボード２を天井から引き剥がすことができる。引き剥がされたボード２は下方に向けて落下することになるが、上述したように引剥部４１はフード２１の上方側に位置しているために、該ボード２はフード２１の内部を通過することになる。つまり、上部１３および胴部１１の内部を通過することになる。かかる上部１３および胴部１１の側周囲はネット２０で覆われているために、該ボード２の破片が飛散する虞れがない。そして、フード２１を通過したボード２は、設置スペースＳに設けられた収集台車３０の箱体３１内部に収集されることになる。
【００３０】
かかる動作を繰り返して収集台車３０に収集されたボード廃材が満載になれば、連結金具３３による連結を解除して、図８に示すように、ボード廃材で満載になった収集台車３０ａのみを移動し、新たな空の収集台車３０ｂを設置スペースＳに設置して連結金具３３を介してフレーム部材１０に連結させれば良い。
【００３１】
以上説明したような本発明の実施の形態における天井構造解体装置によれば、対象となる既存の天井構造１の下方域に移動させて、引剥ハンドル４０に操作力を付与して、該引剥ハンドル４０を構成する引剥部４１を上下方向に揺動させて天井に敷設されたボード２を引き剥がし、フレーム部材１０に係止されたネット２０で引き剥がされたボード２の破片の飛散を防止して、該ボード２を収集台車３０に収集させて運搬させるので、引き剥がされたボード２（ボード廃材）を床上に散乱させることなく、収集台車３０に収集させることができる。このように、床上にボード廃材を散乱させることがないので、ボード廃材を拾い集める作業を必要とせず、作業者の歩行を容易にすることができ、結果的に、作業効率を良好なものとすることができる。従って、既存の天井構造１に対して適用することができ、しかもボード２の引き剥がし作業の作業効率の向上を図ることができる。
【００３２】
上記天井構造解体装置では、引剥部４１の先端部４１１は伸縮自在となるので、既存の天井構造の高さに応じて引剥ハンドル４０の長さを調整することが可能となる。
【００３３】
また、床上にボード廃材を散乱させないので、作業者にとっても解体作業が安全なものとなり、安全性の向上を図ることができる。
【００３４】
更に、引剥ハンドル４０は、後方側水平フレーム部材１０ａの軸心回りに揺動させる、つまり、てこの原理を利用して揺動させるので、作業者の作業疲労の軽減化を図ることができる。
【００３５】
また更に、本発明の実施の形態における天井構造解体装置では、フレーム部材１０やネット２０が仮設材等を用いて形成してあるので、製造コストの低減化を図ることができる。
【産業上の利用可能性】
【００３６】
以上のように、本発明に係る天井構造解体装置は、例えば建築物の天井に敷設されたボードを剥がして既存の天井構造を解体するのに有用である。
【図面の簡単な説明】
【００３７】
【図１】図１は、本発明の実施の形態における天井構造解体装置の構成を簡単に示した側面図である。
【図２】図２は、本発明の実施の形態における天井構造解体装置の構成を簡単に示した正面図である。
【図３】図３は、図１および図２に示した引剥ハンドルの要部を示す要部拡大平面図である。
【図４】図４は、図１および図２に示した引剥ハンドルの要部を示す要部拡大側面図である。
【図５】図５は、図１および図２に示した引剥ハンドルの要部を示す要部拡大断面図である。
【図６】図６は、図１および図２に示した引剥ハンドルの要部を示す要部拡大平面図である。
【図７】図７は、図１および図２に示した天井構造解体装置の適用例を示すための説明図である。
【図８】図８は、図１および図２に示した天井構造解体装置の適用例を示すための説明図である。
【符号の説明】
【００３８】
１        天井構造
２        ボード
１０      フレーム部材
１０ａ    後方側水平フレーム部材
２０      ネット
３０      収集台車
４０      引剥ハンドル
４１      引剥部
４１１    先端部
４１１ａ  引剥爪部
４１１ｂ  打撃爪部
４１２    基端部
４２      ハンドル部
４２１    把持部
４２２    先端部
【図１】
2008240444.tif 000003
【図２】
2008240444.tif 000004
【図３】
2008240444.tif 000005
【図４】
2008240444.tif 000006
【図５】
2008240444.tif 000007
【図６】
2008240444.tif 000008
【図７】
2008240444.tif 000009
【図８】
2008240444.tif 000010